(57)【要約】      （修正有）【課題】携帯情報端末と共に露出させた状態でも、違和感なく携帯できる様にした携帯情報端末用スタンドを提供する。【解決手段】支持部２と基部３を合わせ具備することによって漫画キャラクター、人形、乗物、建物、道具、野菜、果物、若しくは動物が表される携帯情報端末用スタンドとする。また、前記支持部２の背面に、前記支持部と携帯情報端末Ｓの裏面とを着脱可能に固定できる携帯情報端末固定部４を備えると共に携帯情報端末Ｓと着脱可能に接続できる吊下部材を備え、携帯情報端末を一の側面を下方に向けて戴置面上に立設した状態で保持することができるようにして携帯情報端末用スタンドを形成する。【選択図】図３
0003176522.tif 000002
【実用新案登録請求の範囲】
【請求項１】
携帯情報端末を、一の側面を下方に向けて戴置面上に立設した状態で保持する携帯情報端末用スタンドであって、
携帯情報端末の裏面を支持する支持部と、
前記支持部の下方に連続して形成され、携帯情報端末の立設時に下面が戴置面と当接する基部とからなり、
前記支持部と前記基部を合わせ具備することによって漫画キャラクター、人形、乗物、建物、道具、野菜、果物、若しくは動物が表され、
前記支持部若しくは前記基部に一端部が固定され、他端部は携帯情報端末と着脱可能に接続できる吊下部材と、
前記支持部の背面に、前記支持部と携帯情報端末の裏面とを着脱可能に固定できる携帯情報端末固定部を備える
ことを特徴とする携帯情報端末用スタンド。
【請求項２】
前記携帯情報端末固定部が吸盤である
ことを特徴とする請求項１に係る携帯情報端末用スタンド。
【請求項３】
前記携帯情報端末用固定部が柔らかいゲル状樹脂板である
ことを特徴とする請求項１に係る携帯情報端末用スタンド。
【考案の詳細な説明】
【技術分野】
【０００１】
本願考案は、携帯電話、携帯型情報検索端末、若しくは携帯型ゲーム機等の携帯情報端末に用いられる携帯情報端末用スタンドに関し、特に携帯情報端末と共に違和感なく携帯することができるものに関する。
【背景技術】
【０００２】
従来、携帯情報端末は手に持った状態で操作することが多いが、近年の通信情報量の増加に伴い、携帯情報端末を卓上などに立てかけて動画等を視聴等するという用途にも用いられており、携帯情報端末用のスタンドに関する考案が出願されている。
【先行技術文献】
【特許文献】
【０００３】
【特許文献１】登録実用新案第３１３５１０３号
【考案の概要】
【考案が解決しようとする課題】
【０００４】
しかし、従来技術に係るスタンドは携帯情報端末を立てかける機能が重視されており、常時卓上に戴置して使用する用途には良いが、携帯情報端末と共に持ち運ぶには鞄等の中に収納して持ち運ぶ必要があり、外出先等で使用するにはその都度鞄等の中からスタンドを取出す必要があり、不便であった。
【課題を解決するための手段】
【０００５】
そこで、上記課題を解決するための手段として本願実用新案に係る携帯情報端末用スタンドは、携帯情報端末を、一の側面を下方に向けて戴置面上に立設した状態で保持する携帯情報端末用スタンドであって、携帯情報端末の裏面を支持する支持部と、前記支持部の下方に連続して形成され、携帯情報端末の立設時に下面が戴置面と当接する基部とからなり、前記支持部と前記基部を合わせ具備することによって漫画キャラクター、人形、乗物、建物、道具、野菜、果物、若しくは動物が表され、前記支持部若しくは前記基部に一端部が固定され、他端部は携帯情報端末と着脱可能に接続できる吊下部材と、前記支持部の背面に、前記支持部と携帯情報端末の裏面とを着脱可能に固定できる携帯情報端末固定部を備えることを特徴とする。
【０００６】
本願考案に係る携帯情報端末は支持部と基部を合わせ具備することによって漫画キャラクター、人形、乗物、建物、道具、野菜、果物、若しくは動物（以下、漫画キャラクター等という。）に表される。これにより、吊下部材を携帯情報端末に接続して携帯情報端と共に携帯した場合に、携帯情報端末用スタンドが外部から視認される状態であってもストラップ型アクセサリーとして違和感なく携帯することができる。
【０００７】
一方、スタンドとして使用されている状態の携帯情報端末用スタンドは、支持部は基部と連続して形成されることにより携帯情報端末固定部を介して携帯情報端末の重量を基部に伝達し、支持部から携帯情報端末の重量を受けた基部が、携帯情報端末の重量を卓上等の戴置面上で支える。さらに、携帯情報端末固定部が携帯情報端末の裏面に固定されることによって、一の側面を下方に向けて戴置面上に立設した状態で携帯情報端末を保持することができる。
【０００８】
また、携帯情報端末固定部を支持部の背面に備えることによって携帯情報端末用スタンドをスタンドとして使用する場合に、携帯情報端末用スタンドの正面視において前記携帯情報端末固定部を目立たせることなく使用することができる。そのため、携帯情報端末用スタンドを使用して携帯情報端末を立てかけた状態で動画等を視聴する場合にも、携帯情報端末の裏面にはキャラクター等のアクセサリーが戴置されているように見え、動画等の視聴時における携帯情報端末用スタンド及び携帯情報端末全体の美観を損ねることがない。
【０００９】
吊下部材は一端部が支持部若しくは基部に固定された屈曲自在な部材で構成されており、他端部において携帯情報端末と着脱可能に装着することができる。これにより、本願考案をスタンドとして使用しない場合には吊下部材の他端部を携帯情報端末に接続することによって、携帯情報端末用スタンドを吊下げた状態で携帯情報端末と共に携帯することができる。また、携帯情報端末用スタンドを使用したいときには鞄などから別途取出すことなく、吊下部材を携帯情報端末から離脱させることによって、若しくは接続した状態のままでも吊下部材を屈曲させて所定位置に備え付けることによって即時に使用することができる。
【００１０】
ここで、携帯情報端末固定部は吸盤であることが好ましい。携帯情報端末固定部が吸盤であることによって、支持部と携帯情報端末の裏面とを吸盤の吸着力によって強力に固定することができ、動画等の視聴時に誤って携帯情報端末に触れるなどしても携帯情報端末が携帯情報端末用スタンドから容易に離脱することがなく、携帯情報端末を倒してしまうことを防止することができる。
【００１１】
また、携帯情報端末固定部は柔らかいゲル状樹脂板であっても好ましい。柔らかいゲル状樹脂板としてはシリコン樹脂若しくはオレフィン系樹脂のゲルなどからなるものであることが、液体情報端末との摩擦が大きく好ましい。これらの柔らかいゲル状樹脂板は支持部の背面に貼り付けるなどして固定することによって携帯情報端末固定部として構成され、携帯情報端末の裏面を前記柔らかいゲル状樹脂板と当接させることによって携帯情報端末の一の側面を下方に向けて戴置面上に立設した状態で保持して立てかけることができる。
【００１２】
携帯情報端末固定部が柔らかいゲル状樹脂板である場合には、大きな摩擦力によって携帯情報端末の裏面と支持部とを保持するため、僅かな振動などでは携帯情報端末固定部と携帯情報端末の裏面とが離脱することはない。そのため、安定に携帯情報端末の一の側面を下方に向けて戴置面上に立設した状態で保持することができる。
【００１３】
また、携帯情報端末固定部が柔らかいゲル状樹脂板であると、動画等の視聴の終了後にすぐさま携帯情報端末用スタンドを携帯情報端末から引き離すことができるため、吊下部材を接続してストラップとして吊下げた状態とする動作を即座に行なうことができる。
【考案の効果】
【００１４】
本願考案によれば、携帯情報端末を卓上等に立てかけることができるスタンドを携帯情報端末に違和感なく装着した状態で持ち運ぶことができる。
【００１５】
携帯情報端末用スタンドを使用したいときには鞄などから別途取出すことなく、吊下部材を携帯情報端末から離脱させることによって、若しくは接続した状態のままでも吊下部材を屈曲させて所定位置に備え付けることによって即時に使用することができる。
【００１６】
また、スタンドとして使用する場合に、携帯情報端末用スタンドの正面視において前記携帯情報端末固定部を目立たせることなく使用することができ、動画等の視聴時における携帯情報端末用スタンド及び携帯情報端末全体の美観を損ねることがない。
【図面の簡単な説明】
【００１７】
【図１】携帯情報端末用スタンド１の右側面図を示す図である。
【図２】携帯情報端末用スタンド１の正面図を示す図である。
【図３】携帯情報端末用スタンド１を、携帯情報端末Ｓの裏面Ｂに携帯情報端末固定部４を吸着させ、スタンドとして使用している状態を示す図である。
【図４】プラグ軸体６をイヤホンジャックＪに挿し入れて、携帯情報端末用スタンド１を携帯情報端末Ｓに吊下げた状態を示す図である。
【考案を実施するための形態】
【００１８】
以下、本願考案に係る携帯情報端末用スタンド１の実施の形態を、図を参照しながら詳しく説明する。
【００１９】
図１は、本願考案に係る携帯情報端末用スタンド１を示す右側面図である。本実施の形態に係る携帯情報端末用スタンド１は、支持部２が頭部を形成し、基部３が胴体部を形成しており、支持部２及び基部３を合わせ具備することによって犬のキャラクターを形成している。また、支持部２の背面には、斜め上方に開口を向けた状態の吸盤が、携帯情報端末固定部４として取付けられている。
【００２０】
支持部２の頂点部において一端部が固定され、延在している部材は吊下部材５である。吊下部材５の他端部に設けられたプラグ軸体６は、携帯情報端末Ｓの端面に設けられているイヤホンジャックＪに挿し込むことによって携帯情報端末Ｓと結合することができる。
【００２１】
吊下部材５は、支持部２の頭頂部に一端部が固定されたヒートン７と、ヒートン７の環状部に掛け止めされた開閉留具８と、開閉留具８の上端部に設けられた連結環９と、連結環９に沿って移動可能に取付けられた紐取付具１０と、紐取付具１０から延出して設けられ、前記プラグ軸体６と連結してなる連結紐１１とからなる。
【００２２】
携帯情報端末用スタンド１は、卓上等に戴置すると、図２に示すように正面からは携帯情報端末固定部４を視認することができず、犬のキャラクターの形状が備える美観を損ねることがない。
【００２３】
携帯情報端末用スタンド１をスタンドとして使用する際には、図３に示すように携帯情報端末Ｓの裏面Ｂに携帯情報端末固定部４を吸着させ、携帯除法端末用スタンド１及び携帯情報端末Ｓを共に卓上等に戴置することによって、携帯情報端末Ｓの一の側面を下方に向けて戴置面上に立設した状態で保持して立てかけた状態で画面を見ることができ、動画等を視聴等することができる。
【００２４】
一方、動画等の視聴が終了し、スタンドとしての使用が必要なくなったときは、携帯情報端末固定部４を携帯情報端末Ｓの裏面Ｂから離脱させ、プラグ軸体６をイヤホンジャックＪに挿し込んで結合させる。これにより、図４に示すように携帯情報端末用スタンド１をストラップ型アクセサリーとして鞄等に収納することなく携帯情報端末Ｓに吊下げた状態で持ち運ぶことができる。したがって、次に動画等の視聴を卓上等で行いたい時には、鞄等の中から取出す必要がなく、即座にスタンドとして携帯情報端末用スタンド１を使用することができる。
【符号の説明】
【００２５】
１  携帯情報端末用スタンド
２  支持部
３  基部
４  携帯情報端末固定部
５  吊下部材
６  プラグ軸体
【図１】
0003176522.tif 000003
【図２】
0003176522.tif 000004
【図３】
0003176522.tif 000005
【図４】
0003176522.tif 000006